(57)【要約】【課題】残水を無くして、凍結による機器等の破損を防止できる給湯機を提供すること。【解決手段】ディップスイッチ５１の一方向への押圧またはリモコン６０の通常の操作態様とは異なる特殊な操作態様によって、排水の設定がされると、制御装置５２は、第１混合弁３０に所定数のパルスを送出して、第１混合弁３０を３方向に連通した状態にする。したがって、第１混合弁３５よりも上の給湯配管５および配管９にある残水は、第１混合弁３０を通って下方に排出される。【選択図】図１
2014070808.tif 000002
【特許請求の範囲】
【請求項１】
３方向の混合弁（３０）と、
排水設定をする排水設定部（５１，６０）と、
上記排水設定部（５１，６０）によって、排水設定がされると、上記混合弁（３０）を、３方向に連通させた位置に位置させる制御装置（５２）と
を備えることを特徴とする給湯機。
【請求項２】
請求項１に記載の給湯機において、
貯湯タンク（２）を備え、
上記排水設定部（５１）は、上記貯湯タンク（２）の近傍に設けられている操作手段（５１）を含むことを特徴とする給湯機。
【請求項３】
請求項１または２に記載の給湯機において、
上記排水設定部（６０）は、通常の操作態様とは異なる特殊な操作態様で、排水を設定するリモコン（６０）を含むことを特徴とする給湯機。
【請求項４】
請求項１から３のいずれか１つに記載の給湯機において、
上記制御装置（５２）は、排水設定がされて、上記混合弁（３０）が３方向に連通する位置に位置した後は、排水設定が解除されるまで、上記混合弁（３０）を駆動させないことを特徴とする給湯機。
【請求項５】
請求項１から４のいずれか１つに記載の給湯機において、
上記排水設定が解除されるまでは、排水設定中であることを報知するリモコン（６０）を含むことを特徴とする給湯機。
【請求項６】
請求項１から５のいずれか１つに記載の給湯機において、
上記排水設定部（５１，６０）によって、排水設定がされた後、電源がオフされた後、オンされると、上記排水設定部（５１，６０）による排水設定が自動的に解除されることを特徴とする給湯機。
【発明の詳細な説明】
【技術分野】
【０００１】
この発明は、給湯機に関する。
【背景技術】
【０００２】
従来、給湯機としては、特開２０１０−１５１３７７号公報（特許文献１）に記載のように、給湯用混合弁を風呂用混合弁よりも低い位置に配置して、残水の量を少なくして、凍結による機器、配管の破損を防止するようにしたものがある。
【先行技術文献】
【特許文献】
【０００３】
【特許文献１】特開２０１０−１５１３７７号公報
【発明の概要】
【発明が解決しようとする課題】
【０００４】
しかしながら、上記従来の給湯機では、給湯用混合弁と風呂用混合弁との間に、どうしても残水が生じ、未だ、凍結による機器等の破損が生じるという問題がある。
【０００５】
そこで、この発明の課題は、残水を無くして、凍結による機器等の破損を防止できる給湯機を提供することにある。
【課題を解決するための手段】
【０００６】
上記課題を解決するため、この発明の給湯機は、
３方向の混合弁と、
排水を設定する排水設定部と、
上記排水設定部によって、排水設定がされると、上記混合弁を、３方向に連通させた位置に位置させる制御装置と
を備えることを特徴としている。
【０００７】
上記構成の給湯機によれば、上記排水設定部によって、排水設定がされると、上記制御装置によって、上記混合弁は、３方向に連通した位置に位置させられる。作業者は、この状態で機器の電源をオフし、水抜きの作業を行う。
【０００８】
このように、上記排水設定部で排水設定がされると、混合弁が３方向に全て連通した状態になるから、作業者が水抜き作業を行うと、混合弁よりも上の配管にある残水は、混合弁を通って下方に排出される。したがって、混合弁の上の配管に残水がなくなって、凍結による破損や水アカの発生が防止される。
【０００９】
特に、例えば、新築住宅に人が居住するまでの間や、長期出張の間のように、給湯機を長期に亘って使用しない場合、排水設定部で排水設定がされると、混合弁が３方向に全て連通した位置に位置するので、作業者が水抜き作業を行うと、混合弁よりも上の配管にある残水は、確実に排出される。
【００１０】
１実施形態では、
貯湯タンクを備え、
上記排水設定部は、上記貯湯タンクの近傍に設けられている操作手段を含む。
【００１１】
上記実施形態によれば、上記操作手段は、貯湯タンクの近傍に設けられているから、一般に屋外に設けられていることになり、操作手段を誤操作して、排水設定をする可能性が少なくなる。なお、排水設定をする頻度は、その性質上、少ないものである。
【００１２】
１実施形態では、
上記排水設定部は、通常の操作態様とは異なる特殊な操作態様で、排水を設定するリモコンを含む。
【００１３】
上記実施形態によれば、リモコンで排水設定ができるから、都合がよく、しかも、リモコンで、通常の操作態様とは異なる特殊な操作態様で排水設定をするから、誤操作で排水設定をする可能性が少ない。
【００１４】
なお、ここで、リモコンの特殊な操作態様とは、ボタンの長押し、複数のボタンの同時押し、リモコンの表示装置の確認画面上の操作等である。
【００１５】
１実施形態では、
上記制御装置は、排水設定がされて、上記混合弁が３方向に連通する位置に位置した後は、排水設定が解除されるまで、上記混合弁を駆動させない。
【００１６】
上記実施形態によれば、排水作業中に蛇口から給湯が行われようとしても、排水設定が解除されるまで、混合弁が駆動されないため、確実に排水を行ってもらえる。もし、仮に、混合弁が駆動されてしまうと、３方向に連通する位置を保持できなくなってしまうのである。
【００１７】
１実施形態では、
上記排水設定が解除されるまでは、排水設定中であることを報知するリモコンを含む。
【００１８】
上記実施形態によれば、排水設定中であること（混合弁が駆動されなくて、リモコンの設定温度に制御できないこと）を報知できるため、蛇口からの湯の温度がリモコンの設定温度と違っても、異常だと思われない。
【００１９】
１実施形態では、
上記排水設定部によって、排水設定がされた後、電源がオフされた後、オンされると、上記排水設定部による排水設定が自動的に解除される。
【００２０】
上記実施形態によれば、上記排水設定部によって、排水設定がされた後、電源がオフされた後、オンされると、上記排水設定部による排水設定が自動的に解除されるから、使用を開始して、電源をオンにしたときに、混合弁が３方向に全て連通した位置のまま動かない（排水設定状態のままである）という不都合が生じない。
【発明の効果】
【００２１】
この発明によれば、排水設定部によって、排水設定がされると、制御装置によって、混合弁が、３方向に全て連通した位置に位置させられるから、残水を無くして、凍結による機器等の破損を防止できる。
【図面の簡単な説明】
【００２２】
【図１】この発明の１実施形態の給湯機の回路図である。
【図２】給湯機の比較例の回路図である。
【図３】給湯機の比較例の回路図である。
【図４】この発明の１実施形態のリモコンの画面を示す図である。
【発明を実施するための形態】
【００２３】
以下、この発明の給湯機を図示の実施形態により詳細に説明する。
【００２４】
図１に示すように、この給湯機は、中温の湯を貯める第１貯湯タンク１と高温の湯を貯める第２貯湯タンク２とを有する。上記第１貯湯タンク１の下部の湯を、図示しないヒートポンプユニットで沸き上げ、第２貯湯タンクの上部へ戻し、上記第１および第２貯湯タンク１，２内の湯を沸き上げることができるようにしている。
【００２５】
上記第１貯湯タンク１の上部の接続口１１には、第２貯湯タンク２の下部の接続口２１を接続配管４で接続して、第１貯湯タンク２の中温の湯を第２貯湯タンク２の下部に供給するようにしている。
【００２６】
上記第１貯湯タンク１の上部の給湯口１２には、給湯配管５を介して３方向の第１混合弁３０のポートＡを接続している。この第１混合弁３０のポートＢには、水配管３２を接続しており、現地施工で水配管３２の途中に開閉弁３１が設けられるのが普通である。上記ポートＢと開閉弁３１との間の水配管３２は、チェック弁３３を有する水配管３４によって、第１貯湯タンク１の底部の注水口１３に接続している。
【００２７】
上記第１混合弁３０のポートＣには、配管９によって、３方向の第２混合弁４０のポートＡを接続し、この第２混合弁４０のポートＢには、チェック弁７を有す給湯配管６を介して、第２貯湯タンク２の給湯口２２を接続している。上記第２混合弁４０のポートＣには、給湯配管８が接続され、給湯配管８は、現地配管を介して蛇口１９に接続される。
【００２８】
これにより、第１混合弁３０で、第１貯湯タンク１からの中温の湯と水配管３２からの水とが適宜混合され、さらに、第２混合弁４０で、第１混合弁３０からの混合された湯と、第２貯湯タンク２からの高温の湯とが適宜混合されて、蛇口１９に供給される。
【００２９】
一方、上記第２貯湯タンク２の側面には、制御基盤５０を取り付け、この
制御基盤５０に、操作手段の一例としてのディップスイッチ５１と、制御装置５２とを設けている。上記ディップスイッチ５１は、排水設定をする排水設定部の一例である。上記ディップスイッチ５１は、第２貯湯タンク２の近傍に設けられているから、一般に屋外に設けられていることになり、誤操作して、排水設定を誤ってする可能性が少なくなる。
【００３０】
上記制御装置５２は、例えば、マイクロコンピュータからなり、ディップスイッチ５１が一方に押圧されて排水設定がされると、第１混合弁３０に所定の数のパルスを送出して、弁体３５を中間位置に位置させて、３方向に連通させ、つまり、ポートＡ，Ｂ，Ｃを互いに連通させるようになっている。このように、ディップスイッチ５１によって排水設定がされると、第１混合弁３０のポートＡ，Ｂ，Ｃが互いに連通するから、作業者が水抜き作業を行うと、第１混合弁３０よりも上方にある残水が下方に排出できるようになっている。
【００３１】
また、上記制御装置５２は、排水設定がされて、上記混合弁３０が３方向に連通する位置に位置した後は、排水設定が解除されるまで、上記混合弁３０を駆動させないようになっている。したがって、排水作業中に蛇口１９から給湯が行われようとしても、排水設定が解除されるまで、混合弁３０が駆動されないため、確実に排水を行ってもらえる。もし、仮に、混合弁３０が駆動されてしまうと、３方向に連通する位置を保持できなくなってしまうのである。
【００３２】
また、この実施形態の給湯機は、排水設定をする排水設定部のもう一つ例としてのリモコン６０を備えている。上記リモコン６０は、例えば、液晶表示装置からなる表示部６１と、複数のボタン６２とを有し、通常の操作態様と異なる特殊な操作態様で排水設定をすることができる。このリモコン６０で、特殊な操作態様で排水設定がされると、制御装置５２は、第１混合弁３０に所定の数のパルスを送出して、弁体３５を中間位置に位置させて、３方向に連通させ、つまり、ポートＡ，Ｂ，Ｃを互いに連通させる。
【００３３】
ここで、上記リモコン６０の通常の操作態様とは異なる特殊な操作態様とは、例えば、ボタン６２の長押し、複数のボタン６２，６２の同時押し、表示部６１の確認画面上の操作等である。
【００３４】
また、上記リモコン６０は、排水設定がされると、その排水設定が解除されるまでは、図４に示すように、排水設定中であることを報知するようになっている。このように、排水設定中であること（混合弁が駆動されなくて、リモコンの設定温度に制御できないこと）を報知できるため、蛇口１９からの湯の温度がリモコン６０の設定温度と違っても、異常だと思われない。
【００３５】
また、上記制御装置５２は、排水設定部としてのディップスイッチ５１またはリモコン６０によって、排水設定がされて電源がオフにされた後、電源がオンになると、上記排水設定が自動的に解除されて、第１混合弁３０に所定数のパルスを出力するようになっている。これにより、この給湯機の電源をオフにしていた後、電源をオンすると、上記排水設定が自動的に解除されるから、使用を開始したときに、混合弁が３方向に全て連通した位置のまま動かない（排水設定状態のままである）という不都合が生じない。
【００３６】
なお、７１，７２，７３は、排水栓である。
【００３７】
上記構成の給湯機において、今、排水設定部の例としてのディップスイッチ５１の一方向への押圧またはリモコン６０の通常の操作態様とは異なる特殊な操作態様によって、排水設定がされたとする。そうすると、制御装置５２は、第１混合弁３０に所定数のパルスを送出して、第１混合弁３０を３方向に連通した状態（ポーＡ，Ｂ，Ｃが互いに連通した状態）にする。
【００３８】
このように、排水設定部の例としてのディップスイッチ５１またはリモコン６０で排水設定がされると、第１混合弁３０が３方向に全て連通した状態になるから、作業者が水抜き作業を行うと、第１混合弁３０よりも上の給湯配管５および配管９にある残水は、第１混合弁３０を通って下方に排出される。したがって、第１混合弁３０の上の給湯配管５および配管９に残水がなくなって、凍結による破損や水アカの発生が防止される。
【００３９】
なお、このとき、開閉弁３１が開放されており、また、開閉弁３１を通った残水を排出する図示しない排水栓が開放されている。
【００４０】
このように、確実に残水を排出できるから、特に、例えば、新築住宅に人が居住するまでの間や、長期出張の間のように、給湯機を長期に亘って使用しない場合、凍結による機器の損傷や水あかの発生が防止される。
【００４１】
もし、仮に、図２に示すように、第１混合弁３０のポートＡが閉鎖されるようにすると、領域Ｘに示す給湯配管５に残水が生じ、また、図３に示すように、第１混合弁３０のポートＢが閉鎖されるようにすると、領域Ｙに示す給湯配管５および配管９に残水が生じるのである。
【００４２】
上記実施形態では、操作手段の一例としてのディップスイッチ５１が、第２貯湯タンク２の近傍に設けられているから、一般に屋外に設けられていることになり、ディップスイッチ５１を誤操作して、排水設定をする可能性が少なくなる。なお、排水設定をする頻度は、その性質上、少ないものである。
【００４３】
なお、操作手段の例としてディップスイッチ５１を述べたが、トグルスイッチ等どのようなスイッチであってもよい。
【００４４】
また、上記実施形態では、排水設定部の一例としてのリモコン６０で排水設定ができるから、屋内で操作できて都合がよく、しかも、リモコン６０で、通常の操作態様とは異なる特殊な操作態様で排水設定をするから、誤操作で排水設定をする可能性が少ない。
【００４５】
また、上記実施形態では、上記制御装置５２は、排水設定がされて、上記混合弁３０が３方向に連通する位置に位置した後は、排水設定が解除されるまで、上記混合弁３０を駆動させないようになっているので、排水作業中に蛇口１９から給湯が行われようとしても、排水設定が解除されるまで、混合弁３０が駆動されないため、確実に排水を行ってもらえるという利点を有する。
【００４６】
また、上記実施形態では、上記リモコン６０は、排水設定がされると、その排水設定が解除されるまでは、排水設定中であることを報知するようになっているので、蛇口１９からの湯の温度がリモコン６０の設定温度と違っても、異常だと思われないという利点を有する。
【００４７】
また、上記実施形態では、ディップスイッチ５１またはリモコン６０によって、排水設定がされた後、電源がオンされると、上記排水設定が自動的に解除されるから、使用を開始して、電源をオンにしたときに、混合弁が３方向に全て連通した位置のまま動かない（排水設定状態のままである）という不都合が生じない。
【００４８】
上記実施形態の説明では、第１混合弁３０の動作について説明し、第２混合弁４０の動作について説明していないが、第２混合弁４０も第１混合弁３０と全く同じ動作をするように、制御装置５２で制御してもよい。あるいは、第２混合弁４０は、第１混合弁３０とは異なる動作をするように制御装置５２で制御するようにしてもよい。
【００４９】
また、上記実施形態では、第１および第２混合弁３０，４０の２つの混合弁を用いたが、混合弁の数は、一つであっても、３つ以上であってもよい。
【００５０】
また、３方向が連通される際の混合弁３０の弁体３５の位置は、ポートA、Bの開度が５０％：５０％の比率になる中間位置でもよいし、３０％：７０％などの位置でもよい。水が排水できる程度開けば、中間位置でなくてもよい。
【００５１】
また、上記実施形態では、第１および第２貯湯タンク１，２の２つの貯湯タンクを有するが、一つだけの貯湯タンクを有するものであってもよい。また、貯湯タンクを有さない給湯機にも、この発明を適用できることは、勿論である。
【符号の説明】
【００５２】
１  第１貯湯タンク
２  第２貯湯タンク
３０  第１混合弁
４０  第２混合弁
５１  ディップスイッチ
５２  制御装置
６０  リモコン
【図１】
2014070808.tif 000003
【図２】
2014070808.tif 000004
【図３】
2014070808.tif 000005
【図４】
2014070808.tif 000006